(57)【特許請求の範囲】
【請求項１】
平板状の屋根材を軒棟方向に一部重ねて施工する屋根材の留め付け構造において、断面逆ハット型の押さえ部材を屋根材に設けると共に押さえ部材を屋根材の下面に突出させ、この押さえ部材を固定具で屋根下地に固定すると共に固定具の頭部を押さえ部材内に収容し、上記屋根材の軒側端部の下側に重合される他の屋根材の棟側端面を棟側の屋根材の下面に突出する押さえ部材に当接させて成ることを特徴とする屋根材の留め付け構造。
【請求項２】
押さえ部材内に防水具を設けて成ることを特徴とする請求項１に記載の屋根材の留め付け構造。
【請求項３】
押さえ部材の下面を屋根下地に沿って設置して成ることを特徴とする請求項１又は２に記載の屋根材の留め付け構造。
【請求項４】
平板状の屋根材を軒棟方向に一部重ねて施工する屋根材の留め付け方法において、断面逆ハット型の押さえ部材を屋根材に設けると共にこの押さえ部材を屋根材の下面に突出させ、屋根下地に配設した屋根材の棟側端部の上に他の屋根材の軒側端部を重合すると共に棟側の屋根材の下面に突出する押さえ部材を軒側の屋根材の棟側端面に当接し、棟側の屋根材を固定具で屋根下地に固定すると共に固定具の頭部を押さえ部材内に収容することを特徴とする屋根材の留め付け方法。
【発明の詳細な説明】
【技術分野】
【０００１】
本発明は、屋根下地の上に施工される屋根材の留め付け構造及び留め付け方法に関するものである。
【背景技術】
【０００２】
従来より、野地板などの屋根下地の上に薄い平板状の無機質板で形成される屋根材を施工して屋根が形成されている（例えば、特許文献１参照）。図１０に示すように、屋根材１は薄板のセメント系無機質板等で形成されており、複数個の釘孔２０が上下に貫通して形成されている。そして、釘孔２０を通して専用の釘２１やビス２２を固定具３として屋根下地に打ち込むことによって屋根材１を屋根下地４に固定して施工することができる。このようにして複数枚の屋根材１、１…は軒棟方向に敷設して屋根を形成することができるが、軒棟方向で隣接する屋根材１、１は上下に重合して配置されるものである。すなわち、図１１（ａ）に示すものでは、屋根材１Ａを釘２１で固定したものであるが、この屋根材１Ａの軒側端部１ａは、屋根材１Ａよりも軒側に配設される屋根材１Ｂの棟側端部１ｂの上に載置される。また、上記の屋根材１Ａの上には屋根材１Ａよりも棟側に配設される屋根材１Ｃの軒側端部１ａが載置される。この場合、防水性等を得るために、屋根材１Ａの釘２１を棟側の屋根材１Ｃで覆うように載置する。図１１（ｂ）に示すように、ビス２２を用いた場合も同様である。このように固定具３の上に屋根材１が重ねられるため、固定具３の頭部５の上面は平坦に形成されている専用のものを用いるようにしている。
【特許文献１】実用新案登録第２６０３０６４号公報
【発明の開示】
【発明が解決しようとする課題】
【０００３】
しかし、上記の従来例では、屋根材１の平坦な上面に対して、固定具３の頭部５が略平行（水平）になるように、丁寧に留め付ける必要があるが、全ての固定具３について正確に留め付けるのは難しいため、図１２（ａ）（ｂ）に示すように固定具３が斜めに傾いた施工状態となると、固定具３の頭部５が浮き上がって、屋根材が留め付け部分で割れたり、屋根材の先端が開いたり（上下の屋根材の間に隙間ができる）するなどの不具合が生じる場合があった。また、専用の固定具３を必要とするためにその調達のためにコスト高になることがあった。また、専用の固定具３で要求される屋根材１の保持力が得られない場合は施工ができず、無理に使った場合は屋根材の飛散などの問題が生じるおそれがあった。
【０００４】
本発明は上記の点に鑑みてなされたものであり、固定具が斜めに傾いて打ち込まれても不具合が生じることが無く、また専用の固定具を特に必要としない屋根材の留め付け構造及び屋根材の留め付け方法を提供することを目的とするものである。
【課題を解決するための手段】
【０００５】
本発明の請求項１に係る屋根材１の留め付け構造は、平板状の屋根材１、１…を軒棟方向に一部重ねて施工する屋根材１の留め付け構造において、断面逆ハット型の押さえ部材２を屋根材１に設けると共に押さえ部材２を屋根材１の下面に突出させ、この押さえ部材２を固定具３で屋根下地４に固定すると共に固定具３の頭部５を押さえ部材２内に収容し、上記屋根材１の軒側端部１ａの下側に重合される他の屋根材１の棟側端面を棟側の屋根材１の下面に突出する押さえ部材２に当接させて成ることを特徴とするものである。
【０００６】
本発明の請求項２に係る屋根材１の留め付け構造は、請求項１において、押さえ部材２内に防水具７を設けて成ることを特徴とするものである。
【０００７】
本発明の請求項３に係る屋根材１の留め付け構造は、請求項１又は２において、押さえ部材２の下面を屋根下地４に沿って設置して成ることを特徴とするものである。
【０００８】
本発明の請求項４に係る屋根材１の留め付け方法は、平板状の屋根材１、１…を軒棟方向に一部重ねて施工する屋根材１の留め付け方法において、断面逆ハット型の押さえ部材２を屋根材１に設けると共にこの押さえ部材２を屋根材１の下面に突出させ、屋根下地４に配設した屋根材１の棟側端部１ｂの上に他の屋根材１の軒側端部１ａを重合すると共に棟側の屋根材１の下面に突出する押さえ部材２を軒側の屋根材１の棟側端面に当接し、棟側の屋根材１を固定具３で屋根下地４に固定すると共に固定具３の頭部５を押さえ部材２内に収容することを特徴とするものである。
【発明の効果】
【０００９】
請求項１の発明では、固定具が斜め傾いて打ち込まれても押さえ部材の押さえ片で屋根材の棟側端部を押さえつけることができ、屋根材が留め付け部分で割れたり、屋根材の先端が開いたりするなどの不具合が生じないようにすることができるものである。また、押さえ片の下方において、屋根材の軒側端部のさらに下側に他の屋根材の棟側端部が位置するため、屋根材の軒側端部を他の屋根材の棟側端部で支持することができ、固定具を強く打ちつけても屋根材が留め付け部分で割れたり、屋根材が反って開いたりすることがなく、また施工後に屋根材の上を歩行しても固定付近での沈み込みや踏み割れが生じないようにすることができるものである。さらに、押さえ部材により屋根材を押さえつけて留め付けるので、専用の固定具を特に必要としないものである。
【００１０】
請求項２の発明では、防水具により押さえ部材と固定具とに隙間が生じにくくなって、防水性を高くすることができるものである。
【００１１】
請求項３の発明では、押さえ部材を屋根下地で支持しながら強固に固定することができ、屋根材の留め付け強度を高くすることができるものである。
【００１２】
請求項４の発明では、軒側の屋根材で棟側の屋根材の位置決めを行うことができ、施工を容易に行うことができるものである。
【発明を実施するための最良の形態】
【００１３】
以下、本発明を実施するための最良の形態を説明する。
【００１４】
本発明で用いる屋根材１は図２に示すように、薄い平板状のセメント系無機質板で形成されるものであって、例えば、クボタ松下電工外装（株）製のカラーベストなどを用いることができる。この屋根材１は平面視で幅方向に長い略長方形に形成することができ、また屋根材１には幅方向に並ぶ複数個の取付孔３０、３０…が形成されている。各取付孔３０は屋根材１の短手方向の略中央部に位置し、屋根材１を上下に貫通するように設けられている。
【００１５】
本発明で用いる押さえ部材２は金属や樹脂の成形品であって、断面逆ハット型に形成されている。すなわち、図１（ａ）（ｂ）に示すように、押さえ部材２は平板状の底部３１と、底部３１の外周に沿って上方に向かって突設されている立ち上げ部３２と、立ち上げ部３２の上端から外方（底部３１と反対側）に向かって突設される押さえ片６とを備えて形成されている。底部３１には略中央部に上下に貫通する留め付け孔３３が形成されている。また、立ち上げ部３２の部分における外径は上記屋根材１の取付孔３０の孔径よりもやや小さく形成されている。また、底部３１の下面から押さえ片６の下面までの距離は屋根材１の厚みとほぼ同じに形成されている。
【００１６】
固定具３は従来のように屋根材１の留め付け専用の釘やビスなどを用いてもよいが、特に専用のものを用いる必要はない。
【００１７】
そして、上記屋根材１を野地板等の屋根下地４に留め付けるにあたっては、以下のようにして行う。まず、屋根材１の取付孔３０に押さえ部材２を取り付ける。このとき、図３（ａ）に示すように押さえ部材２の立ち上げ部３２を取付孔３０に嵌め込み、図３（ｂ）のように押さえ片６を取付孔３０の上面開口縁部に係止するようにする。屋根材１への押さえ部材２の取り付けは、施工現場で行っても屋根材の製造工場等で行ってもよい。施工現場で取り付ける場合は製造工場での取り付け（艤装（接着済み））するコストが削減できるが、施工現場での手間が増える。製造工場で取り付ける場合は逆のメリット及びデメリットがある。
【００１８】
次に、図１（ａ）（ｂ）に示すように、押さえ部材２を取り付けた屋根材１を屋根下地４の上に載置する。このとき、先に屋根下地４の上に留め付けた軒側の屋根材１（１Ｂ）の棟側端部１ｂの上に、上記屋根材１（１Ａ）の軒側端部（取付孔３０よりも軒側部分）１ａを載置するようにする。次に、屋根材１（１Ａ）に設けた押さえ部材２の留め付け孔３３を通して固定具３を屋根下地４に打ち込むことにより、押さえ部材２の押さえ片６で屋根材１（１Ａ）を上から押さえつけて固定する。このとき、固定具３の頭部５は立ち上げ部３２の内側に収容された状態となる。従って、固定具３の頭部５の外径は立ち上げ部３２の内径よりも小さく、また、固定具３の頭部５の高さ寸法は立ち上げ部３２の高さ寸法よりも小さく形成されている。また、固定具３が斜めに傾いて打ち込まれた場合でも、固定具３の頭部５が立ち上げ部３２の内側に収容されて上側に突出しないように、立ち上げ部３２の高さや頭部５の大きさが設定されている。尚、固定具３を打ち込むためのハンマーの外径は立ち上げ部３２の内径よりも小さいほうが好ましい。
【００１９】
次に、固定具３で留め付けした屋根材１（１Ａ）の上に屋根材１Ａよりも棟側に配設される他の屋根材１（１Ｃ）の軒側端部１ａを載置する。この場合、防水性等を得るために、屋根材１（１Ａ）の固定具３を棟側の屋根材１（１Ｃ）で覆うようにする。このようにして複数枚の屋根材１、１…をその一部を重ねながら軒棟方向に順次施工することにより、屋根を形成することができる。
【００２０】
そして、本発明では、図１（ａ）（ｂ）に示すように、押さえ部材２により固定具３の頭部５が屋根材１の厚さ内に納まって突起となることがなく、屋根材１が留め付け部分で割れたり、屋根材１の先端が開いたり（上下の屋根材１、１の間に隙間ができる）するなどの不具合が生じないようにすることができる。従って、施工現場で全ての固定具３を傾かないようにする打ち込むというシビアな要求が必要でなく、施工性を高くすることができるものである。また、専用のものではなく、通常の固定具３を用いても、押さえ部材２で確実かつ堅牢に屋根材１を固定することができ、耐風性を向上させることができると共に、使用可能な固定具３の種類を増やすことができるものである。さらに、屋根材１に直接固定具３を打ち込むものではないため、屋根材１にダメージを与えにくくなるものである。
【００２１】
図４に本発明の他の参考の形態を示す。この屋根材１の留め付け構造では、押さえ部材２内に防水具７を設けて形成されるものであり、その他の構成は上記図１のものと同様である。防水具７は樹脂系やゴムやアスファルトなどの止水部材であって、押さえ部材２の立ち上げ部３２の内側の凹状の空間で、底部３１の上面に接着等して設けられている。そして、留め付け孔３３を通して固定具３を屋根下地４に打ち込むことにより、防水具７と固定具３の頭部５とが隙間無く密着するものであり、留め付け部分の防水性を高めることができるものである。
【００２２】
図５に本発明の実施の形態を示す。この実施の形態では、押さえ部材２の下部を屋根材１の下面よりも下側に突出して当接部２９を形成するようにしたものであり、その他の構成は上記図１のものと同様である。この場合、立ち上げ部３２の上下方向の寸法を大きくすることにより、底部３１の下面から押さえ片６の下面までの距離を屋根材１の厚みよりも大きく形成するものである。そして、押さえ部材２を取り付けた屋根材１を屋根下地４の上に載置する場合に、先に屋根下地４の上に留め付けた軒側の屋根材１（１Ｂ）の棟側端部１ｂの上に、上記屋根材１（１Ａ）の軒側端部（取付孔３０よりも軒側部分）１ａを載置するが、このときに上記屋根材１（１Ａ）の下面から突出する押さえ部材２の当接部２９を軒側の屋根材１（１Ｂ）の棟側端面に当接することができる。従って、軒側の屋根材１（１Ｂ）に対する棟側の屋根材１（１Ａ）の位置決めを容易に行うことができ、押さえ部材２がガイドとなって屋根材１を軒棟方向に一定のピッチで施工することを容易に行うことができるものである。
【００２３】
図６に他の実施の形態を示す。この実施の形態では、押さえ部材２の下面を屋根下地４の上面に沿って設置したものであり、その他の構成は上記図１のものと同様である。この場合、押さえ部材２の底部３１が屋根下地４の上面の傾斜（勾配）と略平行になるように傾斜しているものである。そして、留め付け孔３３を通して固定具３を屋根下地４に打ち込む際に、押さえ部材２の下面を屋根下地４の上面に当接して沿わせた状態にすることができる。従って、押さえ部材２を屋根下地４で支持しながら強固に固定することができ、屋根材１の留め付け強度を高くすることができるものである。また、図５のものと同様に、押さえ部材２の下部が当接部２９として屋根材１の下面よりも下側に突出するため、この当接部２９を軒側の屋根材１（１Ｂ）の棟側端面に当接することができ、軒側の屋根材１（１Ｂ）に対する棟側の屋根材１（１Ａ）の位置決めを容易に行うことができる。
【００２４】
本発明では、押さえ部材２としては各種の形状のものを用いることができる。図７（ａ）（ｂ）のものでは、押さえ部材２が平面視で方形状に形成されている。また、図８（ａ）（ｂ）のものでは、底部３１が平面視で方形状に形成されており、その対向する二辺に立ち上げ部３２、３２が形成されていると共に各立ち上げ部３２の上部から押さえ片６が形成されている。この場合、屋根材１の長手方向と平行に押さえ片６、６が突出するようにして、押さえ部材２を屋根材１に取り付けるようにしてもよいし、水平面で９０°回転させて、屋根材１の短手方向と平行に押さえ片６、６が突出するようにして、押さえ部材２を屋根材１に取り付けるようにしてもよい。また、図９（ａ）（ｂ）に示すように、押さえ部材２を屋根材１の長手方向と平行に長く形成しても良く、この場合、底部３１には二つの留め付け孔３３、３３が形成されている。
【図面の簡単な説明】
【００２５】
【図１】本発明の参考の形態の一例を示し、（ａ）（ｂ）は一部の断面図である。
【図２】同上の屋根材、押さえ部材、固定具を示す斜視図である。
【図３】同上の一部を示し、（ａ）（ｂ）は拡大図である。
【図４】同上の他の参考の形態の一例を示す一部の断面図である。
【図５】本発明の実施の形態の一例を示す一部の断面図である。
【図６】同上の他の実施の形態の一例を示す一部の断面図である。
【図７】同上の押さえ部材の一例を示し、（ａ）は斜視図、（ｂ）は屋根材に取り付けた状態を示す斜視図である。
【図８】同上の押さえ部材の他例を示し、（ａ）は斜視図、（ｂ）は屋根材に取り付けた状態を示す斜視図である。
【図９】同上の押さえ部材の他例を示し、（ａ）は斜視図、（ｂ）は屋根材に取り付けた状態を示す斜視図である。
【図１０】従来例の屋根材、固定具を示す斜視図である。
【図１１】従来例を示し、（ａ）（ｂ）は一部の断面図である。
【図１２】従来例を示し、（ａ）（ｂ）は一部の断面図である。
【符号の説明】
【００２６】
１  屋根材
１ａ  軒側端部
１ｂ  棟側端部
２  押さえ部材
３  固定具
４  屋根下地
５  頭部
６  押さえ片
７  防水具
【図１】
0005174511.tif 000002
【図２】
0005174511.tif 000003
【図３】
0005174511.tif 000004
【図４】
0005174511.tif 000005
【図５】
0005174511.tif 000006
【図６】
0005174511.tif 000007
【図７】
0005174511.tif 000008
【図８】
0005174511.tif 000009
【図９】
0005174511.tif 000010
【図１０】
0005174511.tif 000011
【図１１】
0005174511.tif 000012
【図１２】
0005174511.tif 000013